(57)【要約】【課題】  ドア開口部に沿って隣接配置され、クリップなどの押さえ力が及び難い内装部品の合わせ部における隙間の発生を防止し、見切り部の外観品質を向上できるとともに、構造が簡素で組付け性も良好な内装部品の合わせ部構造を提供する。【解決手段】  車両のドア開口部（１０）で終端する見切り線を介して互いに隣接し、前記ドア開口部に沿った車室内壁面を覆う第１、第２の内装部品（２、３）の合わせ部構造であって、前記各内装部品は、前記第１内装部品の縁端部（２ｂ）の表面側に、前記第２内装部品の縁端部（３ａ）を重合した状態で前記車室内壁面に装着され、前記第２内装部品の縁端部によって前記見切り線が画成され、前記各内装部品の前記ドア開口部に沿った開口側縁部（２ｄ、３ｃ、３ｄ）が、前記ドア開口部のフランジ（１３）に嵌着されたオープニングトリム（５）のリップ（５１）で覆われ、前記第２内装部品の前記開口側縁部の裏面側に、前記第１内装部品の縁端部（２ｃ）に係合する係合部（３２、３４）が設けられている。【選択図】図４
2010076737.tif 000002
【特許請求の範囲】
【請求項１】
車両のドア開口部で終端する見切り線を介して互いに隣接し、前記ドア開口部に沿った車室内壁面を覆う第１、第２の内装部品の合わせ部構造であって、前記各内装部品は、前記第１内装部品の縁端部の表面側に、前記第２内装部品の縁端部を重合した状態で前記車室内壁面に装着され、前記第２内装部品の縁端部によって前記見切り線が画成されるとともに、前記各内装部品の前記ドア開口部に沿った開口側縁部が、前記ドア開口部のフランジに嵌着されたオープニングトリムのリップで覆われているものにおいて、
前記第２内装部品の前記開口側縁部の裏面側に、前記第１内装部品の縁端部に係合する係合部が設けられていることを特徴とする内装部品の合わせ部構造。
【請求項２】
前記係合部が係合する前記第１内装部品の前記縁端部に、前記車室内壁面に沿って延びる前記縁端部から屈曲して前記車室内壁面に向かって延び前記開口側縁部に連続する被係合縁部が設けられ、前記第２内装部品の前記係合部が、前記被係合縁部の端面と裏面とに当接して係合するように構成されていることを特徴とする請求項１に記載の内装部品の合わせ部構造。
【請求項３】
前記被係合縁部が、前記第１内装部品の前記縁端部と前記開口側縁部との間に斜めに延在していることを特徴とする請求項２に記載の内装部品の合わせ部構造。
【請求項４】
前記第２内装部品の前記係合部が、前記開口側縁部の裏面側に離隔して前記第１内装部品側に向けて突設され前記被係合縁部の前記裏面に当接する係合突起と、該係合突起と前記開口側縁部との間に画成され前記被係合縁部の前記端面に当接する係合溝とで構成されていることを特徴とする請求項２または３に記載の内装部品の合わせ部構造。
【請求項５】
前記第２内装部品の前記開口側縁部に、前記フランジと共に前記オープニングトリムの嵌着溝に挟持される掛止片が延設されており、前記係合突起および前記係合溝が、前記掛止片の基端部に一体に形成されていることを特徴とする請求項４に記載の内装部品の合わせ部構造。
【請求項６】
前記係合突起が、前記係合溝と反対側に、傾斜した案内縁を有することを特徴とする請求項５に記載の内装部品の合わせ部構造。
【請求項７】
車両のドア開口部で終端する見切り線を介して互いに隣接し、前記ドア開口部に沿った車室内壁面を覆う第１、第２の内装部品の合わせ部構造であって、前記各内装部品は、前記第１内装部品の縁端部の表面側に、前記第２内装部品の縁端部を重合した状態で前記車室内壁面に装着され、前記第２内装部品の縁端部によって前記見切り線が画成されるとともに、前記各内装部品の前記ドア開口部に沿った開口側縁部が、前記ドア開口部のフランジに嵌着されたオープニングトリムのリップで覆われているものにおいて、
前記第２内装部品の前記開口側縁部に、前記フランジと共に前記オープニングトリムの嵌着溝に挟持される掛止片が延設され、該掛止片の被挟持部分の側縁部に、前記フランジ側に偏向しかつ圧接される偏向縁部が設けられていることを特徴とする内装部品の合わせ部構造。
【請求項８】
前記偏向縁部が、減肉部を介して前記掛止片と連続し前記圧接により撓曲可能な可撓片部として形成されていることを特徴とする請求項７に記載の内装部品の合わせ部構造。
【請求項９】
請求項１〜４のいずれかの特徴を具備することを特徴とする請求項７または８に記載の内装部品の合わせ部構造。
【請求項１０】
前記第１内装部品が、車両のバックドア開口部に沿った車室内天井面を覆うルーフライニングであり、前記第２内装部品が、前記車両の前記バックドア開口部に沿った車室内側壁面上部を覆うクォーターアッパートリムであって、前記クォーターアッパートリムの前記バックドア開口部に沿った開口側縁部の上端近くに、バックドア用バランサーを挿通させるための切欠部が形成され、前記クォーターアッパートリムの前記開口側縁部が、前記切欠部によって、上側縁部と下側縁部とに分割されており、前記掛止片が前記上側縁部に延設されていることを特徴とする請求項５〜９のいずれか１項に記載の内装部品の合わせ部構造。
【発明の詳細な説明】
【技術分野】
【０００１】
本発明は、車両用内装部品の合わせ部構造に関し、さらに詳しくは、車両のドア開口部に沿った車室内壁面を覆う隣接した２つの内装部品の合わせ部構造に係わるものである。
【背景技術】
【０００２】
自動車などの車室内壁面は、トリムやルーフライニングなどの複数の樹脂製内装部品で覆われ、美装されている。これら内装部品は、特許文献１に記載されるように、クリップを用いて車体パネルに係着され、隣接する内装部品同士の合わせ部では、一方の内装部品の縁部に設けた爪部を他方の内装部品の縁部に係合させるなどして、クリップを可及的に省略するような手法が採られる。
【０００３】
また、トリムやルーフライニングなどの内装部品は、大型の樹脂成形部品であるため、成形時における寸法誤差や、外気温の変化に伴う熱収縮による寸法変化を想定する必要がある。そこで、これらの寸法誤差や寸法変化を、内装部品同士の合わせ部で吸収するために、縁部や段部の突き合わせではなく、一方の縁部を他方の縁部に重ね合わせる合わせ部構造が採用される。
【０００４】
例えば、図１に示すような車両後部の内装部品の装着では、ルーフライニング２の装着後に、クォーターアッパートリム３、クォータートリム４の順で装着がなされ、クォーターアッパートリム３とクォータートリム４との合わせ部（３ｂ／４ａ）では、図２に示すように、クォーターアッパートリム３の下縁部３ｂとクォータートリム４の上縁部４ａとが突き合わさることによって見切り線が画定される。
【０００５】
一方、ルーフライニング２との合わせ部（２ｂ／３ａ）では、図３に示すように、ルーフライニング２の下縁部２ｂの表面側に、クォーターアッパートリム３の上縁部３ａを重ね、その下方裏面側に設けたクリップ３ｆを車体パネルの孔に押し込んで係着することにより、クォーターアッパートリム３の上縁部３ａにより見切り線が画成される。しかし、この合わせ部（２ｂ／３ａ）では、縁部同士が単に重合しているのみであるため、クリップ３ｆから離れた位置では合わせ部に隙間が生じる虞がある。
【０００６】
また、図３に示すように、ルーフライニング２の内側に衝撃吸収パッドやカーテンエアバック等のような収容物１５が押し込まれている場合には、収容物１５による押し出しとクリップ３ｆによる係着力とをバランス良く設定して、見切り線に隙が生じないようにする必要がある。しかし、大型の成形部品であるルーフライニング２では、端縁での形状精度が相対的に低下する傾向があり、これも合わせ部に隙間が生じる原因となる。
【０００７】
したがって、ルーフライニング２の最後端となるバックドア開口部１０付近の合わせ部は、上記成形上の理由から隙間が生じ易い部位と言えるが、さらに、図１に示すように、クォーターアッパートリム３のバックドア開口部１０（オープニングトリム５）に沿った縁部に、バックドア１１のバランサー１２を挿通する切欠部３０が設けられる場合には、切欠部３０の上方に位置した縁端部の剛性が相対的に低下し、ルーフライニング２に対する押さえ力の不足により、合わせ部に隙間が生じ易い問題がある。
【０００８】
さらに、バックドア開口部１０のフランジ１３に、オープニングトリム５を嵌着する際には、先述した内装部品（２，３，４）の装着時と同様に、バックドア開口部１０の上方から下方へとオープニングトリム５を嵌着して行くが、ルーフライニング２とクォーターアッパートリム３との合わせ部（２ｂ／３ａ）では、表面側に重合されるクォーターアッパートリム３に浮きを生じ易く、クォーターアッパートリム３の端縁を覆うべきオープニングトリム５のリップ（５１）が、クォーターアッパートリム３の下に潜り込んだ状態で組付けられ易いという問題もあった。
【０００９】
【特許文献１】特開平８−１１９０４２号公報
【発明の開示】
【発明が解決しようとする課題】
【００１０】
本発明は従来技術のこのような実状に鑑みてなされたものであって、その目的は、ドア開口部に沿って隣接配置され、クリップなどの押さえ力が及び難い内装部品の合わせ部における隙間の発生を防止し、見切り部の外観品質を向上できるとともに、構造が簡素で組付け性も良好な内装部品の合わせ部構造を提供することにある。
【課題を解決するための手段】
【００１１】
上記従来技術の有する課題を解決するため、本発明は、車両のドア開口部で終端する見切り線を介して互いに隣接し、前記ドア開口部に沿った車室内壁面を覆う第１、第２の内装部品の合わせ部構造であって、前記各内装部品は、前記第１内装部品の縁端部の表面側に、前記第２内装部品の縁端部を重合した状態で前記車室内壁面に装着され、前記第２内装部品の縁端部によって前記見切り線が画成されるとともに、前記各内装部品の前記ドア開口部に沿った開口側縁部が、前記ドア開口部のフランジに嵌着されたオープニングトリムのリップで覆われているものにおいて、前記第２内装部品の前記開口側縁部の裏面側に、前記第１内装部品の縁端部に係合する係合部が設けられていることを特徴とする。
【００１２】
本発明の好適な態様では、前記係合部が係合する前記第１内装部品の前記縁端部に、前記車室内壁面に沿って延びる前記縁端部から屈曲して前記車室内壁面に向かって延び前記開口側縁部に連続する被係合縁部が設けられ、前記第２内装部品の前記係合部が、前記被係合縁部の端面と裏面とに当接して係合するように構成されている。また、前記被係合縁部が、前記第１内装部品の前記縁端部と前記開口側縁部との間に斜めに延在している。さらに、前記第２内装部品の前記係合部が、前記開口側縁部の裏面側に離隔して前記第１内装部品側に向けて突設され前記被係合縁部の前記裏面に当接する係合突起と、該係合突起と前記開口側縁部との間に画成され前記被係合縁部の前記端面に当接する係合溝とで構成されている。
【００１３】
また、本発明の好適な態様では、前記第２内装部品の前記開口側縁部に、前記フランジと共に前記オープニングトリムの嵌着溝に挟持される掛止片が延設されており、前記係合突起および前記係合溝が、前記掛止片の基端部に一体に形成されている。また、前記係合突起が、前記係合溝と反対側に、傾斜した案内縁を有する。
【００１４】
さらに、本発明は、車両のドア開口部で終端する見切り線を介して互いに隣接し、前記ドア開口部に沿った車室内壁面を覆う第１、第２の内装部品の合わせ部構造であって、前記各内装部品は、前記第１内装部品の縁端部の表面側に、前記第２内装部品の縁端部を重合した状態で前記車室内壁面に装着され、前記第２内装部品の縁端部によって前記見切り線が画成されるとともに、前記各内装部品の前記ドア開口部に沿った開口側縁部が、前記ドア開口部のフランジに嵌着されたオープニングトリムのリップで覆われているものにおいて、前記第２内装部品の前記開口側縁部に、前記フランジと共に前記オープニングトリムの嵌着溝に挟持される掛止片が延設され、該掛止片の被挟持部分の側縁部に、前記フランジ側に偏向しかつ圧接される偏向縁部が設けられていることをさらなる特徴とする。
【００１５】
本発明の好適な態様では、前記偏向縁部が、減肉部を介して前記掛止片と連続し前記圧接により撓曲可能な可撓片部として形成されている。
【００１６】
また、本発明の好適な態様では、前記第１内装部品が、車両のバックドア開口部に沿った車室内天井面を覆うルーフライニングであり、前記第２内装部品が、前記車両の前記バックドア開口部に沿った車室内側壁面上部を覆うクォーターアッパートリムであって、前記クォーターアッパートリムの前記バックドア開口部に沿った開口側縁部の上端近くに、バックドア用バランサーを挿通させるための切欠部が形成され、前記クォーターアッパートリムの前記開口側縁部が、前記切欠部によって、上側縁部と下側縁部とに分割されており、前記掛止片が前記上側縁部に延設されている。
【発明の効果】
【００１７】
本発明に係る内装部品の合わせ部構造は、上述したように、車両のドア開口部で終端する見切り線を介して互いに隣接する２つの内装部品の合わせ部構造において、第２内装部品のドア開口部に沿った縁部の裏面側に、第１内装部品の合わせ部における縁端部に係合する係合部（３２、３４）が設けられているので、各内装部品の開口側縁部の近傍にクリップなどの固定箇所を設定しなくても、係合部により、各内装部品のみで合わせ部に見切りを出すことができ、各内装部品の重合量の増減により見切り線が不確定になるのを防止でき、かつ各内装部品の合わせ部における第２内装部品の浮きまたは第１内装部品の沈み込みにより合わせ部に隙間が生じるのを防止でき、合わせ部に良好な外観が得られる。
【００１８】
本発明において、前記係合部が係合する前記第１内装部品の前記縁端部に、前記車室内壁面に沿って延びる前記縁端部から屈曲して前記車室内壁面に向かって延び前記開口側縁部に連続する被係合縁部（２ｃ）が設けられ、前記第２内装部品の前記係合部（３２、３４）が、前記被係合縁部の端面と裏面とに当接して係合するように構成されている態様では、各内装部品の重合量が増減する方向（実施形態では車両上下方向）および各内装部品の重合が相互に離反し合わせ部に隙間を生じる方向（実施形態では車幅方向）に対する位置規制と同時に、各内装部品の重合が見切り線に沿ってずれる方向（実施形態では車両前後方向）に対する位置規制も行える。
【００１９】
本発明において、前記被係合縁部（２ｃ）が、前記第１内装部品の前記縁端部と前記開口側縁部との間に斜めに延在している態様では、第２内装部品の縁端部を第１内装部品の縁端部に重合させるべく接近させ、他所に設けたクリップを車体パネルの孔に押し込んで係着させるような、組付け時における第２内装部品の移動に伴い、斜めに延在する被係合縁部により、押し込み方向と交差する方向への第１内装部品の弾性変形が誘導され、この弾性変形により、第２内装部品の係合部が、被係合縁部の側方から裏面側に通過可能となり、無理なく組付けを行うことができる。また、第１内装部品の角部に斜めに形成された被係合縁部（抹角縁部）により、組付け前の保管および搬送中における第１内装部品の角部の破損を防止でき、かつ第１内装部品の成形性も良好である。
【００２０】
本発明において、前記第２内装部品の前記係合部が、前記開口側縁部の裏面側に離隔して前記第１内装部品側に向けて突設され前記被係合縁部の前記裏面に当接する係合突起（３２）と、該係合突起と前記開口側縁部との間に画成され前記被係合縁部の前記端面に当接する係合溝（３４）とで構成されている態様では、簡素な形状でありながら、第１内装部品の被係合縁部に確実に係合でき、特に、傾斜した被係合縁部であっても、係合および２方向ないしは３方向の位置規制を確実に行うことができる。
【００２１】
本発明において、前記第２内装部品の前記開口側縁部（３ｃ）に、前記フランジとともに前記オープニングトリムの嵌着溝に挟持される掛止片（３３）が延設されており、前記係合突起および前記係合溝が、前記掛止片の基端部に一体に形成されている態様では、第２内装部品の開口側縁部が、掛止片およびオープニングトリムを介して車体側に掛止され、このように掛止された第２内装部品の係合部に、第１内装部品の縁端部が係合されることで、合わせ部が相互に位置規制されるだけでなく、車体側に対しても位置決めされる。また、第２内装部品の裏面側に突設され、第２内装部品の成形金型でアンダーカットとなる係合部（係合突起および係合溝）が、同様にアンダーカットとなる掛止片と一体に形成されているので、掛止片を成形するスライドユニットで係合部を同時に成形可能であり、係合部のために新たにスライドユニットを追加する必要はなく、製造コスト面でも有利である。
【００２２】
本発明において、前記係合突起（３２）が、前記係合溝と反対側に、傾斜した案内縁（３２ｃ）を有する態様では、先述した第２内装部品の組付け時の移動において、係合突起の傾斜した案内縁によって第１内装部品の弾性変形が一層容易に誘導され、係合部を第１内装部品の縁端部（被係合縁部、抹角縁部）に容易に組付けできる。
【００２３】
本発明において、前記第２内装部品の前記開口側縁部に、前記フランジと共に前記オープニングトリムの嵌着溝に挟持される掛止片（３３′）が延設され、該掛止片の被挟持部分の側縁部に、前記フランジ側に偏向しかつ圧接される偏向縁部（３３ａ）が設けられている態様では、ドア開口部のフランジにオープニングトリムを嵌着する際に、第１内装部品の縁端部が第２内装部品の掛止片に当接することによって、第２内装部品および掛止片に浮きが生じた場合にも、掛止片の側縁部（上方側縁部）からフランジ側に偏向した偏向縁部がフランジに圧接されることによって、上方から嵌着されるオープニングトリムに、掛止片がフランジと共に確実に嵌入されるので、合わせ部の隙間を防止しつつも、組付け性を良好に維持できる。
【００２４】
上記態様において、前記偏向縁部が、減肉部（３３ｂ）を介して前記掛止片と連続し前記圧接により撓曲可能な可撓片部として形成されていれば、オープニングトリムに嵌着された後に偏向縁部がフランジに沿って撓曲して平坦化されるので、組付け性を良好に維持しつつも、オープニングトリムに嵌入される掛止片の厚さを小さく抑え、オープニングトリムの変形を最小限に留めることができる。
【００２５】
本発明において、前記第１内装部品が、車両のバックドア開口部に沿った車室内天井面を覆うルーフライニング（２）であり、前記第２内装部品が、前記車両の前記バックドア開口部に沿った車室内側壁面上部を覆うクォーターアッパートリム（３）であって、前記クォーターアッパートリムの前記バックドア開口部に沿った開口側縁部の上端近くに、バックドア用バランサーを挿通させるための切欠部（３０）が形成され、前記クォーターアッパートリムの前記開口側縁部が、前記切欠部によって、上側縁部（３ｃ）と下側縁部（３ｄ）とに分割されており、前記掛止片（３３）が前記上側縁部に延設されている態様では、切欠部によって剛性が低下し、第１内装部品の縁端部に対する押さえ力が不足するクォーターアッパートリムの上側縁部が、係合部によって第１内装部品の縁端部と係合されることで剛性低下が補われ、高い外観の見切り部を得ることができる。しかも、第２内装部品の組付け時には、切欠部による剛性低下で第２内装部品の縁端部が容易に弾性変形可能となり、組付け性が良好であるという利点もある。
【発明を実施するための最良の形態】
【００２６】
以下、本発明の実施の形態について、図面を参照しながら詳細に説明する。
図１は、本発明に係る合わせ部構造が実施される内装部品であるクォーターアッパートリム３およびルーフライニング２を備えた車両１のバックドア開口部１０を車両後方から見た斜視図である。図において、バックドア開口部１０の側方に位置した車両室内側壁部（クォーター部）には、上下にクォーターアッパートリム３およびクォータートリム４が装着され、クォーターアッパートリム３の上端はルーフライニング２に隣接している。
【００２７】
図１および図７に参照されるように、車両１の車体を構成するアウターパネル１ａとインナーパネル１ｂは、車体後部では、バックドア開口部１０の周囲のフランジ１３（オープニングフランジ）において接合されており、このフランジ１３には、ウェザーストリップと一体のオープニングトリム５が嵌着されている。図１に概略的に示すバックドア１１は、バックドア開口部１０の上縁部に図示しないヒンジを介して開閉可能に取付けられるとともに、バックドア１１の一側には、バックドア１１を開位置に保持しかつその開操作をアシストするバランサー１２が設置されている。
【００２８】
バランサー１２は、その先端部がバックドア１１の内面側部に回動可能に連結され、その基端部１２ａが、車体内側壁（インナーパネル１ｂ）にブラケットを介して回動可能に連結されており、それに伴い、クォーターアッパートリム３のバックドア開口部１０に沿った縁部の上端近くには、バランサー１２を挿通させるための切欠部３０が設けられている。図２は、クォーターアッパートリム３を車両室内側から見た側面図である。図中省略されているが、図２は、バックドア１１の閉位置に対応しており、バランサー１２は切欠部３０の最下部に位置し、バランサー１２のロッドは没入状態にある。クォーターアッパートリム３の切欠部３０付近はバランサー１２の基端部１２ａおよびその回動連結部を収容すべく膨出部３１となっており、切欠部３０は、膨出部３１を斜めに横切るように形成されている。
【００２９】
クォーターアッパートリム３は、先述した通り、車両室内天井部にルーフライニング２が装着された後、クォータートリム４が装着される前に、車両室内側壁部に装着される。すなわち、図２に示すように、クォーターアッパートリム３の下縁部３ｂから下方に２つの係止片３ｅが延設されており、これら係止片３ｅに設定したクリップをインナーパネル１ｂに穿設した図示しない孔に係合するとともに、図２および図３に示すように、クォーターアッパートリム３の上縁部３ａを、ルーフライニング２の下縁部２ｂの表面側に重ね、クォーターアッパートリム３の上縁部３ａ裏面側に設けたクリップ３ｆを車体パネルの孔に押し込んで係着する。
【００３０】
したがって、クォーターアッパートリム３とルーフライニング２との合わせ部（２ｂ／３ａ）では、クォーターアッパートリム３の上縁部３ａで見切り線（３ａ）が画成される。この合わせ部（２ｂ／３ａ）は、縁部同士が重合しているのみであるため、クリップ３ｆから離れた位置では合わせ部に隙間が生じ易いことは既に述べた。特に、図示例では、見切り線（３ａ）は、車両前後方向の後端側では車幅方向外方に回り込み、ドア開口部１０のフランジ１３に嵌着されたオープニングトリム５（ウェザーストリップ）で終端しているが、その近傍にはバランサー１２の回動連結部が配設されているため、クリップを設置できず、それも隙間が生じ易い原因になる。
【００３１】
バックドア開口部１０に沿って上下に隣接配置されたルーフライニング２、クォーターアッパートリム３、およびクォータートリム４のそれぞれの開口側縁部２ｄ、３ｃ、３ｄ、４ｄは、図２に示すように、オープニングトリム５のリップ５１で覆われる。しかし、金属などの補強材がインサートされたオープニングトリム５の本体部（嵌着溝５０）に対して、合成ゴムや軟性樹脂などのエラストマーのみからなるリップ５１の被覆は、上記各内装部品を積極的に位置決めする機能は有さない。
【００３２】
そこで、本発明では、図４〜図７に示すように、バックドア開口部１０に隣接した合わせ部（２ｂ／３ａ）の表面側に配置されるクォーターアッパートリム３の上縁部３ａ裏面側に、バックドア開口部１０のフランジ１３と共にオープニングトリム５に嵌合される掛止片３３を設け、この掛止片３３の基端側に、ルーフライニング２の下縁部２ｂに係合する係合突起３２を一体に設けることにより、合わせ部（２ｂ／３ａ）の隙間を防止し、この部分に良好な外観が得られるようにしている。
【００３３】
掛止片３３は、クォーターアッパートリム３のバックドア開口部１０に沿った開口側縁部（３ｃ、３ｄ）の切欠部３０の上側に延在する開口側縁部３ｃから裏面側に折り返されるように延設され、オープニングトリム５の内側の縁部を巻いて嵌着溝５０に掛止可能となるように断面Ｕ字状に形成されている。係合突起３２は、クォーターアッパートリム３の開口側縁部３ｃの裏面から離間して掛止片３３の縁部から上方すなわちルーフライニング２側に向けて突設されることにより、係合突起３２と開口側縁部３ｃ裏面との間に係合溝３４を画成している。
【００３４】
一方、係合溝３４に対応したルーフライニング下縁部２ｂの被係合縁部２ｃは、図４あるいは図５に示されるように、下縁部２ｂのバックドア開口部１０側の終端部から斜め上方かつ車幅方向外方に屈曲して車室内壁面（インナーパネル１ｂ）に向かって延び、ルーフライニング２の開口側縁部２ｄに連続している。すなわち、被係合縁部２ｃは、ルーフライニング２の下縁部２ｂと開口側縁部２ｄの間の角部を斜めに切除した抹角縁部として形成されている。
【００３５】
上記のように構成されたクォーターアッパートリム３の組付けに際して、クォーターアッパートリム３の下縁部３ｂをインナーパネル１ｂに係止した後、上縁部３ａをルーフライニング２の下縁部２ｂの表面側に重ね、クリップ３ｆを車体パネルの孔に係着させるべく押し込むと、係合突起３２の先端がルーフライニング下縁部２ｂの被係合縁部２ｃに当接し、図６に示されるように、係合突起３２の先端に向けて傾斜した縁部３２ｃが、傾斜したルーフライニング下縁部２ｂで案内されることにより、切欠部３０の上方に延出したクォーターアッパートリム上縁部３ａおよび掛止片３３の押し込み方向と交差する方向への弾性変形が誘導され、係合突起３２の先端部が、傾斜した被係合縁部２ｃを側下方から通過し、係合突起３２が被係合縁部２ｃの裏面に係合するとともに、係合溝３４が被係合縁部２ｃの端面に係合する。
【００３６】
このように、合わせ後端部において、クォーターアッパートリム３の上縁部裏面側に延設された係合突起３２および係合溝３４が、ルーフライニング下縁部２ｂの傾斜した被係合縁部２ｃに係合する構成により、ルーフライニング下縁部２ｂとクォーターアッパートリム上縁部３ａの位置が、相互に車幅方向および車両前後方向に規制され、合わせ部（２ｂ／３ａ）に隙間が生じるのを防止できると同時に、ルーフライニング下縁部２ｂとクォーターアッパートリム上縁部３ａの車両上下方向の重合位置が規制され、クリップ３ｆの係着に依存せずに内装部品（２、３）のみで合わせ部（２ｂ／３ａ）の見切り（３ａ）を出すことができる。
【００３７】
したがって、合わせ後端部において、ルーフライニング２を車両室内側へ加圧するルーフライニング内蔵物１５や、クォーターアッパートリム３をインナーパネル１ｂ側に係着するクリップ等の取付け構造の設定が不要となり、製造コストの節減および軽量化に有利であるうえ、当該部分における構造レイアウトの自由度が向上する利点も得られる。
【００３８】
また、バックドア１１のバランサー１２を挿通させる切欠部３０により、クォーターアッパートリム３の上側の開口側縁部３ｃ付近は、他の部分に比べて剛性が不足し易い箇所であるが、このような開口側縁部３ｃに、掛止片３３と一体に係合突起３２および係合溝３４を形成したことで、オープニングトリム５による嵌着力を利用して開口側縁部３ｃに対する支持力を確保できる。この開口側縁部３ｃ付近の剛性不足は、組付け時には、クォーターアッパートリム上縁部３ａおよび掛止片３３（係合突起３２）の弾性変形が容易に誘導される利点をもたらし、先述した係合突起３２の傾斜した縁部３２ｃおよびルーフライニング下縁部２ｂの傾斜した被係合縁部２ｃによる弾性変形の誘導作用と相俟って、良好な組付け性が得られる。
【００３９】
さらに、クォーターアッパートリム上縁部３ａの裏面側に延設された係合突起３２は、成形金型においてアンダーカットとなる形状であるが、掛止片３３と一体に形成されることにより、掛止片３３を成形するためのスライドユニットによる同時成形が可能となり、別途スライドユニットを追加する必要がない。しかも、係合突起３２は簡素かつ小形状であるので、既存のスライド型に対する僅かな変更で実施可能である。
【００４０】
次に、図８〜図１２は、本発明の第２実施形態に係る合わせ部（２ｂ／３ａ）構造を示している。この第２実施形態は、掛止片３３′が偏向縁部３３ａを有する点のみが図４〜図７に示した第１実施形態と異なり、それ以外の基本的な構造は同様であるので、同様の部材には同様の符号を付して説明を省略し、以下、変更点を中心に述べる。
【００４１】
クォーターアッパートリム３の上縁部３ａ裏面側に設けた掛止片３３の基端部がルーフライニング２の下縁部２ｂに当接することによって、ルーフライニング下縁部２ｂとクォーターアッパートリム上縁部３ａの車両上下方向の重合位置が規制され、合わせ部（２ｂ／３ａ）の見切り（３ａ）が出ることは上述した通りである。しかしながら、掛止片３３がバックドア開口部１０のフランジ１３と共にオープニングトリム５に嵌合され、組付けが完了するまでは、掛止片３３とフランジ１３との間に隙間を生じる場合があり、この部分でのオープニングトリム５の嵌着作業を慎重に行なう必要がある。
【００４２】
すなわち、大型の樹脂成形品からなるルーフライニング２およびクォーターアッパートリム３の寸法公差や不可避的な形状誤差に起因して、掛止片３３がバックドア開口部１０のフランジ１３から浮く傾向があり、その状態で、バックドア開口部１０に沿って上方から下方に向けてオープニングトリム５の嵌着作業を実施すると、オープニングトリム５の嵌着溝５０が、浮いた掛止片３３の下に入り込む組付け不良が発生し易い。
【００４３】
そこで、図８〜図１２に示す第２実施形態では、フランジ１３と共にオープニングトリム５の嵌着溝５０に挟持される掛止片３３′の被挟持部分、すなわち、断面Ｕ字状に形成された掛止片３３′の先端側平坦部分の上方の側縁部に、フランジ１３側に偏向して斜めに延出した偏向縁部３３ａが一体に形成されている。この偏向縁部３３ａは、組付け状態でフランジ１３に当接すべき設計上の寸法基準面となる掛止片３３′の平坦面に対し、その偏向分だけ寸法基準面を越えてフランジ１３側に延出している。
【００４４】
したがって、上述した掛止片３３′の浮きが、偏向縁部３３ａの延出量の範囲内であれば、偏向縁部３３ａの上端が常にフランジ１３に当接または圧接されることになり、この状態で、バックドア開口部１０に沿って上方から下方に向けてオープニングトリム５の嵌着作業を実施すれば、フランジ１３に圧接されかつ傾斜した偏向縁部３３ａにより、掛止片３３′が自然に嵌着溝５０内に誘導され、フランジ１３と共にオープニングトリム５の嵌着溝５０に挟持される。
【００４５】
オープニングトリム５を組付けた状態では、掛止片３３′の偏向縁部３３ａは、オープニングトリム５の挟圧力によって、その偏向が弾性変形により一部矯正された状態で、嵌着溝５０に挟持され、この弾性変形による反力は、掛止片３３′が嵌着溝５０内でフランジ１３に圧接されることで、掛止片３３′のずれ防止などに寄与し得る。しかし、反力が大き過ぎると、却って、掛止片３３′の導入に対する抵抗となるばかりか、オープニングトリム５の嵌着溝５０に必要以上の変形を生じることになる。
【００４６】
そこで、第２実施形態の掛止片３３′では、偏向縁部３３ａが、掛止片３３′の平坦な本体部に対して減肉部３３ｂを介して連続する可撓片部とし、上記オープニングトリム５の嵌着時に、オープニングトリム５の挟圧力によって、偏向縁部３３ａが減肉部３３ｂを起点として容易に弾性変形されるようにしている。この構成により、オープニングトリム５が嵌着された後に、図１２に２点鎖線で示されるように、偏向縁部３３ａ′がフランジ１３に沿って平坦化され、オープニングトリム５に嵌入される掛止片３３′の厚さを小さく抑え、オープニングトリム５の変形を最小限に留めることができる。
【００４７】
以上、本発明の実施の形態について述べたが、本発明は上記実施形態に限定されるものではなく、本発明の技術的思想に基づいてさらに各種の変形および変更が可能である。
【００４８】
例えば、上記各実施形態では、係合部が、掛止片３３，３３′の基端側に突設された係合突起３２を含み、係合突起３２と開口側縁部３ｃ裏面との間に係合溝３４が画成される場合を示したが、係合突起３２を形成せずに、係合溝３４の底辺に相当するレベルの平坦な段部のみで係合部を構成することもできる。
【００４９】
その場合、掛止片３３，３３′の基端部（段部）に、ルーフライニング下縁部２ｂ（被係合縁部２ｃ）が当接することによって、ルーフライニング下縁部２ｂとクォーターアッパートリム上縁部３ａの車両上下方向の重合位置が規制され、それらのみで合わせ部（２ｂ／３ａ）の見切り（３ａ）を出すことができることは勿論、ルーフライニング下縁部２ｂ（２ｃ）が、掛止片３３，３３′の基端部（段部）に当接する摩擦力による係合で、車幅方向および車両前後方向に対しても、ある程度の位置規制効果が得られる。
【００５０】
また、上記実施形態では、本発明に係る合わせ部構造を、バックドア開口部１０に隣接したクォーターアッパートリム３とルーフライニング２の合わせ部（２ｂ／３ａ）に実施する場合を示したが、本発明に係る合わせ部構造は、これら以外の内装部品およびバックドア以外のドア開口部に隣接した内装部品の合わせ部に実施可能である。
【図面の簡単な説明】
【００５１】
【図１】本発明に係る合わせ部構造が実施される内装部品（クォーターアッパートリムおよびルーフライニング）を備えた車両のバックドア開口部を後方から見た斜視図である。
【図２】クォーターアッパートリムを車両室内側から見た側面図である。
【図３】図２のＡ−Ａ断面図である。
【図４】バックドア開口部に隣接した本発明第１実施形態に係る合わせ部を裏面側（車幅方向外側）から見た側面図である。
【図５】バックドア開口部に隣接した本発明第１実施形態に係る合わせ部を車両後方から見た背面図である。
【図６】図４のＢ−Ｂ断面図である。
【図７】図４のＣ−Ｃ断面図である。
【図８】バックドア開口部に隣接した本発明第２実施形態に係る合わせ部を裏面側（車幅方向外側）から見た側面図である。
【図９】バックドア開口部に隣接した本発明第２実施形態に係る合わせ部を車両後方から見た背面図である。
【図１０】図８のＤ−Ｄ断面図である。
【図１１】図８のＥ−Ｅ断面図である。
【図１２】図８のＦ−Ｆ拡大断面図である。
【符号の説明】
【００５２】
１  車両
２  ルーフライニング
２ｂ  下縁部（合わせ部）
２ｃ  被係合縁部（下縁部）
２ｄ  開口側縁部
３  クォーターアッパートリム
３ａ  上縁部（合わせ部）
３ｃ、３ｄ  開口側縁部
４  クォータートリム
５  オープニングトリム（ウェザーストリップ）
１０  バックドア開口部
１１  バックドア
１２  バランサー
１３  フランジ（オープニングフランジ）
３０  切欠部
３２  係合突起（係合部）
３３，３３′  掛止片
３３ａ，３３ａ′  偏向縁部（可撓片部）
３３ｂ  減肉部
３４  係合溝（係合部）
５０  嵌着溝
５１  リップ
【図１】
2010076737.tif 000003
【図２】
2010076737.tif 000004
【図３】
2010076737.tif 000005
【図４】
2010076737.tif 000006
【図５】
2010076737.tif 000007
【図６】
2010076737.tif 000008
【図７】
2010076737.tif 000009
【図８】
2010076737.tif 000010
【図９】
2010076737.tif 000011
【図１０】
2010076737.tif 000012
【図１１】
2010076737.tif 000013
【図１２】
2010076737.tif 000014